(57)【要約】【課題】構造の簡略化が図れ、組付性を向上し得る床暖房パネルを提供する。【解決手段】床暖房パネル１は、熱媒体管１９が配設される配管用凹溝１１を設けた基材１０に、一方向に長尺で該一方向に分割された２本の第１小根太２１及び第２小根太２２をそれぞれに収容させた１組の切欠状収容部１４，１５と、該一方向に長尺な１本の第３小根太２３を収容させた切欠状収容部１６と、を小根太幅方向に間隔を空けて設け、かつ、前記第１小根太及び前記第２小根太をそれぞれに収容する１組の切欠状収容部を迂回させるように配管用凹溝が設けられた第１連結部１７と、前記第３小根太を収容する切欠状収容部を迂回させるように配管用凹溝が設けられた第２連結部１８と、を設けた構造とされている。【選択図】図１
2015172462.tif 000002
【特許請求の範囲】
【請求項１】
熱媒体管が配設される配管用凹溝を設けた基材に、一方向に長尺で該一方向に分割された２本の第１小根太及び第２小根太をそれぞれに収容させた１組の切欠状収容部と、該一方向に長尺な１本の第３小根太を収容させた切欠状収容部と、を小根太幅方向に間隔を空けて設け、かつ、前記第１小根太及び前記第２小根太をそれぞれに収容する１組の切欠状収容部を迂回させるように配管用凹溝が設けられた第１連結部と、前記第３小根太を収容する切欠状収容部を迂回させるように配管用凹溝が設けられた第２連結部と、を設けた構造とされていることを特徴とする床暖房パネル。
【請求項２】
請求項１において、
前記第１小根太の長さ寸法と前記第２小根太の長さ寸法とを足し合わせた寸法を、前記第３小根太の長さ寸法と同寸法としていることを特徴とする床暖房パネル。
【請求項３】
請求項１または２において、
前記第１小根太及び前記第２小根太をそれぞれに収容する１組の切欠状収容部のうちの一方を前記基材の一方向一端面において開口させ、他方を前記基材の一方向他端面において開口させ、これら１組の切欠状収容部の間に、前記第１連結部を設けた構造とし、かつ、
前記第３小根太を収容する切欠状収容部を前記基材の一方向他端面において開口させ、この切欠状収容部の一方向一端側に、前記第２連結部を設けた構造としていることを特徴とする床暖房パネル。
【請求項４】
請求項１乃至３のいずれか１項において、
前記第１連結部と前記第２連結部とを小根太幅方向に見て互いに重なり合わないように設けていることを特徴とする床暖房パネル。
【発明の詳細な説明】
【技術分野】
【０００１】
本発明は、基材に小根太を設けた床暖房パネルに関する。
【背景技術】
【０００２】
従来より、熱媒体管が配設される配管用凹溝を設けた基材に、釘等の止具によって床仕上材を固定するための小根太を埋め込むように設けた床暖房パネルが知られている。このような床暖房パネルは、小根太幅方向に長手方向を沿わせて配される床仕上材の長手方向に間隔を空けた複数箇所を固定するために、複数の小根太を小根太幅方向に間隔を空けて設けた構造とされている。
例えば、下記特許文献１では、熱媒用配管を収納する収納溝を設けた基材に、小根太長手方向に分割された２本の小根太を１組とし、これら２本の小根太組を、小根太幅方向に間隔を空けて２組設けた床暖房パネルが開示されている。また、この床暖房パネルは、熱媒用配管の収納溝が小根太によって分断されないように、小根太長手方向に分割された２本の小根太のうちの一方の小根太の長手方向両端側を迂回するように収納溝を設けた構成とされている。
【先行技術文献】
【特許文献】
【０００３】
【特許文献１】特開２０１３−８８０９９号公報
【発明の概要】
【発明が解決しようとする課題】
【０００４】
しかしながら、上記特許文献１に記載された床暖房パネルでは、小根太幅方向に間隔を空けて設けられる各組に２本の小根太を設けた構成とされ、また、これらをそれぞれに収納する小根太用溝を基材に設ける必要があり、更なる改善が望まれる。
【０００５】
本発明は、上記実情に鑑みてなされたものであり、構造の簡略化が図れ、組付性を向上し得る床暖房パネルを提供することを目的としている。
【課題を解決するための手段】
【０００６】
上記目的を達成するために、本発明に係る床暖房パネルは、熱媒体管が配設される配管用凹溝を設けた基材に、一方向に長尺で該一方向に分割された２本の第１小根太及び第２小根太をそれぞれに収容させた１組の切欠状収容部と、該一方向に長尺な１本の第３小根太を収容させた切欠状収容部と、を小根太幅方向に間隔を空けて設け、かつ、前記第１小根太及び前記第２小根太をそれぞれに収容する１組の切欠状収容部を迂回させるように配管用凹溝が設けられた第１連結部と、前記第３小根太を収容する切欠状収容部を迂回させるように配管用凹溝が設けられた第２連結部と、を設けた構造とされていることを特徴とする。
【０００７】
本発明においては、前記第１小根太の長さ寸法と前記第２小根太の長さ寸法とを足し合わせた寸法を、前記第３小根太の長さ寸法と同寸法としてもよい。
また、本発明においては、前記第１小根太及び前記第２小根太をそれぞれに収容する１組の切欠状収容部のうちの一方を前記基材の一方向一端面において開口させ、他方を前記基材の一方向他端面において開口させ、これら１組の切欠状収容部の間に、前記第１連結部を設けた構造とし、かつ、前記第３小根太を収容する切欠状収容部を前記基材の一方向他端面において開口させ、この切欠状収容部の一方向一端側に、前記第２連結部を設けた構造としてもよい。
また、本発明においては、前記第１連結部と前記第２連結部とを小根太幅方向に見て互いに重なり合わないように設けてもよい。
【発明の効果】
【０００８】
本発明に係る床暖房パネルは、上述のような構成としたことで、構造の簡略化を図ることができ、組付性を向上させることができる。
【図面の簡単な説明】
【０００９】
【図１】本発明の一実施形態に係る床暖房パネルの一例を模式的に示す一部を省略した一部破断概略平面図である。
【図２】（ａ）は、図１におけるＸ１−Ｘ１線矢視に対応させた一部破断概略縦断面図、（ｂ）は、図１におけるＸ２−Ｘ２線矢視に対応させた一部破断概略縦断面図である。
【図３】同床暖房パネルが備える基材の一例を模式的に示す一部破断概略平面図である。
【図４】同床暖房パネルの一変形例を模式的に示す一部を省略した一部破断概略平面図である。
【発明を実施するための形態】
【００１０】
以下に本発明の実施の形態について、図面に基づいて説明する。
図１〜図３は、本実施形態に係る床暖房パネルの一例を模式的に示す図である。
なお、図１及び図４では、熱媒体管及び均熱シートの図示を省略している。
また、以下の実施形態では、小根太の長手方向と同方向となる床暖房パネル（基材）の一方向を、便宜的に床暖房パネル（基材）の長手方向として説明するが、同方向を床暖房パネル（基材）の幅方向としてもよい。
【００１１】
本実施形態に係る床暖房パネル１は、図１及び図２に示すように、熱媒体管１９が配設される配管用凹溝１１を設けた基材１０を備えている。また、床暖房パネル１は、基材１０に、一方向としての基材長手方向に長尺で該一方向に分割された２本の第１小根太２１及び第２小根太２２をそれぞれに収容させた１組の切欠状収容部１４，１５を設けた構造とされている。また、床暖房パネル１は、基材１０に、基材長手方向に長尺な１本の第３小根太２３を収容させた切欠状収容部１６を設けた構造とされ、これら１組の切欠状収容部１４，１５と切欠状収容部１６とを小根太幅方向に間隔を空けて設けた構造とされている。
【００１２】
この床暖房パネル１は、略矩形平板状とされている。また、この床暖房パネル１は、床下地上に設置され、その上面側が床仕上材（床材）によって覆われる構成とされている。また、床暖房パネル１は、縦横に隣接させるように複数枚が床下地上に設置されるものとしてもよい。
この床暖房パネル１は、小根太２１，２２，２３部分を、ねじや釘等の止具の止着箇所として床根太や捨て張り合板、コンクリート下地等の床下地に固定されるものとしてもよい。また、小根太２１，２２，２３の長手方向と長手方向を略直交させて配された床材の止着部位を、止具によって小根太２１，２２，２３部分に止着し、床材を床暖房パネル１に対して固定するようにしてもよい。
【００１３】
また、この床暖房パネル１の幅寸法及び長さ寸法は、搬送時や施工時等における取扱性の観点等から適宜、設定するようにしてもよい。例えば、床暖房パネル１の幅寸法及び長さ寸法を、一尺（３０３ｍｍ）〜一丈（３０３０ｍｍ）程度としてもよい。
また、床暖房パネル１の厚さ寸法は、熱媒体管１９の配設が可能で、当該床暖房パネル１の強度を向上させる観点等から適宜、設定するようにしてもよい。例えば、床暖房パネル１の厚さ寸法を、１０ｍｍ〜３０ｍｍ程度としてもよい。
【００１４】
熱媒体管１９は、図２に示すように、中空の管状体とされている。図例では、この熱媒体管１９を、断面視して円管状とした例を示している。この熱媒体管１９は、基材１０の配管用凹溝１１の経路パターンに合わせて配管用凹溝１１内に配設し易いように可撓性を有したものとされている。この熱媒体管１９としては、耐腐食性及び耐熱性を有した材料で形成されたものとしてもよく、例えば、架橋ポリエチレン等の樹脂材等で形成されたパイプやチューブ等としてもよい。
また、熱媒体管１９には、ポンプ等の循環装置によって熱媒体が送り込まれ、流通される。この熱媒体管１９に流通させる熱媒体としては、例えば、液体や気体、蒸気等としてもよい。また、熱媒体管１９に、循環装置側に設けられた送媒管または返媒管に接続されるヘッダーを接続してもよい。また、複数の床暖房パネル１を隣接させて設ける場合には、熱媒体管１９に、隣接する床暖房パネル１の熱媒体管１９同士を接続するための接続部を接続してもよい。
また、熱媒体管１９の外周面を下方側から覆うような形状とされた伝熱部材を配管用凹溝１１に設けるようにしてもよい。
【００１５】
また、床暖房パネル１は、図２に示すように、基材１０の上面側を覆う均熱シート２０を備えている。この均熱シート２０は、基材１０の上面を略全面に亘って覆うように設けられている。この均熱シート２０は、薄いシート状（フィルム状）とされ、熱伝導率の高い材料で形成されており、例えば、アルミニウム等の金属材料で形成されたものとしてもよい。
なお、均熱シート２０の上面に、止具の止着可能範囲としての小根太２１，２２，２３が位置する部位を示すマーカー等の目印を設けるようにしてもよい。
【００１６】
基材１０は、略矩形平板状とされ、断熱性を有する材料で形成されている。この基材１０は、例えば、発泡ポリプロピレンや発泡ポリスチレン等の発泡樹脂材等から形成されたものとしてもよい。
また、この基材１０の幅方向一方側端部の適所（図例では、幅方向及び長手方向一方側端部の一隅部）に、熱媒体管１９に接続されるヘッダーを収容する収容凹所１２を設けた構成としている。この収容凹所１２に臨むように、送媒側の熱媒体管１９及び返媒側の熱媒体管１９が配設される配管用凹溝１１，１１を設けた構成としている。なお、この収容凹所１２は、基材１０の厚さ方向の全体に亘って切欠状に設けられたものとしてもよい。
また、基材１０の適所に、熱媒体管１９同士を接続する接続部を収容する収容凹所１３を設けた例を示している。図例では、基材１０の長手方向他方側端部に、幅方向に間隔を空けて複数箇所（図例では、６箇所）に収容凹所１３を設けた例を示している。また、これら収容凹所１３と基材１０の長手方向他方側の端面（他端面）とを連通させるように配管用凹溝１１を設けた構成としている。このような構成とすれば、隣り合う床暖房パネル１に設けられた熱媒体管１９同士を接続する接続部を収容凹所１３に収容させることができる。
【００１７】
配管用凹溝１１は、図１及び図２に示すように、上方側に向けて開口するように基材１０の上面側に設けられている。この配管用凹溝１１は、溝長手方向に見て、略Ｕ字状とされている。この配管用凹溝１１の溝幅や溝深さは、収容された熱媒体管１９の上端が均熱シート２０に近接または当接するように適宜、設定するようにしてもよい。
また、配管用凹溝１１は、均熱性を向上させる観点等から、基材１０の上面の概ね全域に亘って、蛇行するように設けられている。図例では、配管用凹溝１１に配設される熱媒体管１９を、基材１０の幅方向一方側端部（の隅部）から基材１０の幅方向他方側端部までを蛇行しながら２往復させ、基材１０の幅方向一方側端部（の隅部）に戻すように配管用凹溝１１を設けた例を示している。また、図例では、配管用凹溝１１を、平面視して湾曲させたような曲線部と、基材長手方向または基材幅方向に延びる直線部と、を組み合わせた構成としている。また、基材１０の長手方向中央側部位に、長手方向に延びる配管用凹溝１１の直線部を設け、基材１０の長手方向両端部位に、直線部よりも曲線部が占める割合が大きくなるように配管用凹溝１１を設けた例を示している。
【００１８】
なお、基材１０の上面側に設けられる配管用凹溝１１の経路パターンとしては、上記のような態様に限られず、１往復させるように設けたり、または、３往復以上させるように設けたりしてもよい。また、基材１０の幅方向他方側端部において折り返されるように戻るような経路パターンに限られず、基材１０の幅方向他方側端部において、隣り合う床暖房パネル１の配管用凹溝１１に連通されるような経路パターン等としてもよい。この基材１０の上面側に設けられる配管用凹溝１１の経路パターンとしては、その他、種々の経路パターンとしてもよい。
【００１９】
１組の切欠状収容部１４，１５及び切欠状収容部１６は、基材長手方向に長尺な略帯板状とされた各小根太２１，２２，２３をそれぞれに収容可能なように、基材１０に長手方向に延びるように設けられている。これら切欠状収容部１４，１５，１６は、基材１０を厚さ方向に貫通して設けられており、基材幅方向に沿う寸法（幅寸法）が互いに同寸法とされている。これら切欠状収容部１４，１５，１６の幅寸法は、収容された小根太２１，２２，２３に止具の止着が可能なように適宜の幅寸法としてもよい。
また、基材１０には、これら１組の切欠状収容部１４，１５によって配管用凹溝１１が基材１０の幅方向に分断されないように、これら１組の切欠状収容部１４，１５を迂回させるように配管用凹溝１１が設けられた第１連結部１７が設けられている。また、基材１０には、切欠状収容部１６によって配管用凹溝１１が基材１０の幅方向に分断されないように、この切欠状収容部１６を迂回させるように配管用凹溝１１が設けられた第２連結部１８が設けられている。
本実施形態では、各連結部１７，１８を、床暖房パネル１の長手方向一端側に片寄らせて設けた構造としている。
また、本実施形態では、第１連結部１７と第２連結部１８とを小根太幅方向に見て互いに重なり合わないように設けている。
【００２０】
また、本実施形態では、図１及び図３に示すように、第１小根太２１及び第２小根太２２をそれぞれに収容する１組の切欠状収容部１４，１５のうちの一方としての第１小根太２１を収容する第１切欠状収容部１４を、基材１０の長手方向一端面において開口させている。また、１組の切欠状収容部１４，１５のうちの他方としての第２小根太２２を収容する第２切欠状収容部１５を、基材１０の長手方向他端面において開口させている。つまり、第１小根太２１の長手方向一端面が基材１０の長手方向一端面と同一平面状となるように第１切欠状収容部１４を設けた構造としている。また、第２小根太２２の長手方向他端面（基材１０の長手方向他端面と同方向に向く端面）が基材１０の長手方向他端面と同一平面状となるように第２切欠状収容部１５を設けた構造としている。これら１組の切欠状収容部１４，１５は、基材長手方向に見て互いに重なり合うように設けられている。また、これら１組の切欠状収容部１４，１５を長手方向に間隔を空けて設け、これら１組の切欠状収容部１４，１５の間に、第１連結部１７を設けた構造としている。
【００２１】
また、第３小根太２３を収容する第３切欠状収容部１６を基材１０の長手方向他端面において開口させ、この第３切欠状収容部１６の基材長手方向一端側に、第２連結部１８を設けた構造としている。つまり、第３小根太２３の長手方向他端面（基材１０の長手方向他端面と同方向に向く端面）が基材１０の長手方向他端面と同一平面状となるように第３切欠状収容部１６を設けた構造としている。
つまり、本実施形態では、基材１０の各小根太２１，２２，２３が設けられた部位に、これらの存在しない部位となる連結部１７，１８がこれらの長手方向に沿って一箇所となる構造としている。つまりは、基材１０の配管用凹溝１１を上記のような経路パターンとした場合には、これら連結部１７，１８には、これら連結部１７，１８のそれぞれを基材幅方向に通過するように４本の配管用凹溝１１が設けられることとなる。
【００２２】
また、本実施形態では、第１小根太２１を収容する第１切欠状収容部１４の長さ寸法Ｌ１と第２小根太２２を収容する第２切欠状収容部１５の長さ寸法Ｌ２とを足し合わせた寸法を、第３小根太２３を収容する第３切欠状収容部１６の長さ寸法Ｌ３と同寸法としている。つまり、本実施形態では、第１小根太２１の長さ寸法Ｌ１と第２小根太２２の長さ寸法Ｌ２とを足し合わせた寸法を、第３小根太２３の長さ寸法Ｌ３と同寸法としている。また、第１連結部１７の基材長手方向に沿う寸法と第２連結部１８の基材長手方向に沿う寸法とを互いに同寸法としている。
また、本実施形態では、第３切欠状収容部１６の長さ寸法Ｌ３を、基材１０の長さ寸法から第１切欠状収容部１４の長さ寸法Ｌ１を差し引いた寸法以上としている。つまりは、第３切欠状収容部１６の基材長手方向一端側に位置する第２連結部１８の基材長手方向に沿う寸法を、第１切欠状収容部１４の長さ寸法Ｌ１以下としている。図例では、第１切欠状収容部１４の長さ寸法Ｌ１を、第２連結部１８の基材長手方向に沿う寸法よりも僅かに大きい寸法とした例を示している。
【００２３】
切欠状収容部１４，１５，１６及び連結部１７，１８の基材長手方向に沿う寸法は、基材長手方向の大部分に亘って小根太２１，２２，２３を効果的に設ける観点や、小根太２１，２２，２３を迂回する配管用凹溝１１の本数等に応じて、適宜、設定するようにしてもよい。例えば、基材長手方向の大部分に亘って小根太２１，２２，２３が設けられるように、連結部１７，１８の基材長手方向に沿う寸法を、基材１０の長さ寸法の１／５以下としてもよく、好ましくは、基材１０の長さ寸法の１／１０以下としてもよい。また、連結部１７，１８の基材長手方向に沿う寸法を、床材の幅寸法よりも小さい寸法としてもよい。
【００２４】
また、本実施形態では、切欠状収容部１４，１５，１６を、基材１０の幅方向に間隔を空けて３箇所以上（図例では、５箇所）に設けた構成としている。また、これら切欠状収容部１４，１５，１６を、基材１０の幅方向に略等間隔を空けて設けた構成としている。つまりは、基材１０を、幅方向に略等分（図例では、６等分）するように、切欠状収容部１４，１５，１６を基材１０に設けた構成としている。
また、第１切欠状収容部１４及び第２切欠状収容部１５と第３切欠状収容部１６とを、基材１０の幅方向に間隔を空けて交互に設けた構成としている。図例では、基材１０の幅方向略中央部位に第１切欠状収容部１４及び第２切欠状収容部１５を設け、その幅方向両側に第３切欠状収容部１６，１６をそれぞれに設けた構成としている。また、これら第３切欠状収容部１６，１６の幅方向外方側のそれぞれに第１切欠状収容部１４，１４及び第２切欠状収容部１５，１５を設けた構成としている。
【００２５】
上記した各切欠状収容部１４，１５，１６のそれぞれに収容される小根太２１，２２，２３は、長さ寸法及び幅寸法が各切欠状収容部１４，１５，１６の長さ寸法及び幅寸法と同寸法とされ、厚さ寸法が基材１０の厚さ寸法と同寸法とされている。つまり、第１小根太２１の長手方向他端面が第１切欠状収容部１４の基材長手方向一端側に向く内壁面に当接または近接対面し、第２小根太２２の長手方向一端面が第２切欠状収容部１５の基材長手方向他端側に向く内壁面に当接または近接対面する構成とされている。また、第３小根太２３の長手方向一端面が第３切欠状収容部１６の基材長手方向他端側に向く内壁面に当接または近接対面する構成とされている。また、各小根太２１，２２，２３の幅方向両外側面が各切欠状収容部１４，１５，１６の幅方向両内側面に当接または近接対面し、各小根太２１，２２，２３の厚さ方向両面が基材１０の厚さ方向両面において露出する構成とされている。
【００２６】
なお、これら小根太２１，２２，２３は、止具の止着が可能なように、例えば、合板やＬＶＬ等の木質積層板、パーティクルボード等の木質ボード、ＭＤＦ（中密度繊維板）等の木質繊維板などの木質系材料から形成されたものとしてもよい。
また、床暖房パネル１を構成する基材１０は、一枚からなるものに限られず、複数部分に分割されたものが接合されて構成されたものとしてもよい。また、床暖房パネル１は、例えば、幅方向の適所をヒンジ部として折り畳み可能とされたものとしてもよい。
【００２７】
本実施形態に係る床暖房パネル１は、上述のような構成としたことで、構造の簡略化を図ることができ、組付性を向上させることができる。
つまり、基材１０に、２本の第１小根太２１及び第２小根太２２をそれぞれに収容させた１組の切欠状収容部１４，１５と、１本の第３小根太２３を収容させた切欠状収容部１６と、を小根太幅方向に間隔を空けて設けた構造としている。従って、小根太幅方向に間隔を空けて設けられる各組に２本の小根太を設けたものと比べて、部材点数を削減でき、また、構造を簡略化することができる。また、これにより、組付性を向上させることができる。
【００２８】
また、本実施形態では、第１小根太２１の長さ寸法Ｌ１と第２小根太２２の長さ寸法Ｌ２とを足し合わせた寸法を、第３小根太２３の長さ寸法Ｌ３と同寸法としている。従って、第３小根太２３と同長さとされた小根太用部材を、切断等によって第１小根太２１と第２小根太２２とに分割することができ、各小根太２１，２２，２３を効率的に形成することができ、生産性を向上させることができる。なお、このような態様に代えて、第１小根太２１の長さ寸法Ｌ１と第２小根太２２の長さ寸法Ｌ２とを足し合わせた寸法を、第３小根太２３の長さ寸法Ｌ３と異なる寸法としてもよい。
【００２９】
また、本実施形態では、第１切欠状収容部１４を基材１０の一方向一端面において開口させ、第２切欠状収容部１５を基材１０の一方向他端面において開口させ、これら１組の切欠状収容部１４，１５の間に、第１連結部１７を設けた構造としている。従って、第１小根太２１及び第２小根太２２の存在しない部位となる第１連結部１７がこれらの長手方向に沿って一箇所となる。また、第３切欠状収容部１６を基材１０の一方向他端面において開口させ、この第３切欠状収容部１６の一方向一端側に、第２連結部１８を設けた構造としている。従って、第３小根太２３の存在しない部位となる第２連結部１８がこの第３小根太２３の長手方向に沿って一箇所となる。
これにより、小根太の長手方向両端側等に、連結部を設けたようなものと比べて、止具の止着可能範囲を効果的に大きくすることができる。また、床暖房パネル１及び床仕上材の割り付けの際等に、床仕上材の幅方向側端部の止具の止着箇所を連結部１７，１８に位置させないように回避させ易くするようなこともできる。なお、このような態様に代えて、いずれかの小根太２１，２２，２３の長手方向両端側に連結部を設けたような態様としてもよい。
【００３０】
また、本実施形態では、第１連結部１７と第２連結部１８とを小根太幅方向に見て互いに重なり合わないように設けている。従って、小根太長手方向に長手方向を略直交させて配設される床仕上材の幅方向側端部の止具の止着箇所がいずれかの連結部１７（１８）上に位置するような場合にも、隣り合う小根太２３（２１，２２）に止具を止着することができる。
また、本実施形態では、１組の切欠状収容部１４，１５と、切欠状収容部１６と、を小根太幅方向に間隔を空けて交互に設けた構造としている。従って、止具の止着が困難となる連結部１７，１８と止具の止着が可能な小根太２１，２２，２３が設けられた部位とが交互に存在することとなるため、床仕上材の幅方向側端部の止具の止着箇所を効果的に多くすることができる。なお、このような態様に代えて、例えば、第３切欠状収容部１６と第３切欠状収容部１６とを基材幅方向に隣り合うように設けたような態様等としてもよい。また、切欠状収容部１４，１５，１６を、基材１０の幅方向に間隔を空けて３箇所以上に設けた態様に代えて、１組の切欠状収容部１４，１５と切欠状収容部１６とのみを設けた態様としてもよい。また、第１連結部１７と第２連結部１８とを小根太幅方向に見て互いに少なくとも一部が重なり合うように設けた態様としてもよい。
【００３１】
また、本実施形態では、第１連結部１７と第２連結部１８とを床暖房パネル１の一方向一端側に片寄らせて設けた構造としている。従って、床暖房パネル１及び床仕上材の割り付けの際等に、床仕上材の幅方向側端部の止具の止着箇所を連結部１７，１８に位置させないように、より回避させ易くするようなこともできる。なお、このような態様に代えて、例えば、連結部１７，１８を、床暖房パネル１の一方向両端側に位置するように設けたり、一方向中央部位等に設けたりしてもよい。
【００３２】
次に、床暖房パネルの一変形例を、図４を参照して説明する。
なお、上記した例との相違点について主に説明し、同様の構成については、同一符号を付し、その説明を省略または簡略に説明する。
本変形例に係る床暖房パネル１Ａは、基材１０Ａに設けられた配管用凹溝１１Ａの経路パターンが上記した例とは主に異なる。
本変形例では、上記した例よりも、配管用凹溝１１Ａの直線部の割合を多くしている。図例では、配管用凹溝１１Ａを、基材１０Ａの長手方向一端部位において、曲線部よりも直線部が占める割合が大きくなるような経路パターンとなるように設けた構成としている。このような構成とすれば、上記した例と比べて、配管用凹溝１１Ａに配設される熱媒体管１９の長さを短くすることができ、組付性等をより向上させることができる。
【符号の説明】
【００３３】
１，１Ａ      床暖房パネル
１０，１０Ａ  基材
１１，１１Ａ  配管用凹溝
１４          第１切欠状収容部（第１小根太の切欠状収容部）
１５          第２切欠状収容部（第２小根太の切欠状収容部）
１６          第３切欠状収容部（第３小根太の切欠状収容部）
１７          第１連結部
１８          第２連結部
１９          熱媒体管
２１          第１小根太
２２          第２小根太
２３          第３小根太
Ｌ１          第１小根太の長さ寸法
Ｌ２          第２小根太の長さ寸法
Ｌ３          第３小根太の長さ寸法
【図１】
2015172462.tif 000003
【図２】
2015172462.tif 000004
【図３】
2015172462.tif 000005
【図４】
2015172462.tif 000006